(57)【要約】【課題】コスト低減に寄与し、また施工性が向上し、さらには固定状態やケーブル特性が安定する支持線付きケーブルを提供する。【解決手段】ブリッジ部２５は、その両端がそれぞれケーブル本体２３の絶縁被覆部２７と支持線２４の絶縁被覆部２９とに連成される。すなわち、ブリッジ部２５は、絶縁被覆部２７及び２９と同じ材質で押し出し成形により一括して形成される。また、ブリッジ部２５は、従来のようなケーブル本体２３と支持線２４との共通中心線Ｌ１上ではなく、取り付け相手としての壁や柱などの被取り付け面に対して平行になる、ケーブル本体２３と支持線２４との共通接線Ｌ２に沿って配置形成される。【選択図】　　図１
2004022417.tif 000002
【特許請求の範囲】
【請求項１】
ケーブル本体と、該ケーブル本体に対して平行にのびる支持線と、これらケーブル本体及び支持線間に形成されるブリッジ部とを備えた支持線付きケーブルであって、
前記ブリッジ部を、取り付け相手の被取り付け面に対して平行になる前記ケーブル本体と前記支持線との共通接線に沿って配置形成した
ことを特徴とする支持線付きケーブル。
【発明の詳細な説明】
【０００１　】
【発明の属する技術分野】
本発明は、ケーブル本体と支持線とブリッジ部とを備えた支持線付きケーブルに関し、特に、ブリッジ部の配置に改良が加えられた支持線付きケーブルに関する。
【０００２　】
【従来の技術】
ケーブルの敷設において、従来よりケーブルの形態に合わせて様々な固定方法が採用されている。すなわち図３に示される如く、平型ケーブル１の場合には、固定用金具にステイプル２が用いられており、そのステイプル２の打ち付けによって平型ケーブル１が壁や柱などの被取り付け面３に固定されるようになっている。これに対し、図４（ａ）、（ｂ）に示される如く、丸型ケーブル４の場合には、固定用金具に図示のような形状のサドル５又は６とネジ７とが用いられており、そのサドル５又は６とネジ７の保持によって丸型ケーブル４が壁や柱などの被取り付け面８に固定されるようになっている。
【０００３　】
【発明が解決しようとする課題】
ところで、上記従来技術にあっては、サドル５、６及びネジ７がステイプル２よりもコスト高になり、また、施工性も悪くなることから、本願出願人は次のような固定方法を考えた。すなわち、図５及び図６に示される如く、丸型ケーブル４に替えてハンガーヒョウタン形の支持線付きケーブル９を用い、その支持線付きケーブル９をステイプル２の打ち付けによって壁や柱などの被取り付け面１０に固定するような固定方法を考えた。
【０００４　】
本願出願人の考えた上記固定方法は、サドル５又は６とネジ８とを用いないことから、コスト低減に寄与することは言うまでもないが、次のような若干の問題点を有していた。すなわち、支持線付きケーブル９は、丸型ケーブル４に相当するケーブル本体１１と、支持線１２と、ブリッジ部１３とを備えて構成されており、ブリッジ部１３がケーブル本体１１及び支持線１２の共通中心線Ｌ３上に配置形成されていることから、支持線１２を被取り付け面１０に対して沿わせると、ブリッジ部１３が被取り付け面１０から浮いてしまい、その結果、ステイプル２の打ち付け作業が必ずしもし易いとは言えないという問題点を有していた。また、ブリッジ部１３の浮きによりステイプル２の抜け方向に力が生じて、せっかく打ち付けたステイプル２が抜けてしまうという問題点や、ケーブルの特性が低下してしまうという問題点を有していた。
【０００５　】
本発明は、上述した事情に鑑みてなされるもので、コスト低減に寄与し、また施工性が向上し、さらには固定状態やケーブル特性が安定する支持線付きケーブルを提供することを課題とする。
【０００６　】
【課題を解決するための手段】
上記課題を解決するためなされた請求項１記載の本発明の支持線付きケーブルは、ケーブル本体と、該ケーブル本体に対して平行にのびる支持線と、これらケーブル本体及び支持線間に形成されるブリッジ部とを備えた支持線付きケーブルであって、前記ブリッジ部を、取り付け相手の被取り付け面に対して平行になる前記ケーブル本体と前記支持線との共通接線に沿って配置形成したことを特徴としている。
【０００７　】
請求項１に記載された本発明によれば、支持線付きケーブルの固定の際に、ブリッジ部が取り付け相手の被取り付け面に沿って配置される。ブリッジ部が被取り付け面に対して浮いてしまうことがないことから、ステイプルの打ち付け作業が容易になる。また、ブリッジ部の浮きがなければステイプルの抜けも改善される。すなわち、ステイプルの抜け方向に生じる力がなくなればステイプルの抜けが当然に改善される。さらに、ステイプルの抜け方向に生じる力がなくなればケーブル特性の低下が抑えられる。支持線付きケーブルは、ステイプルを用いての固定が可能であることから、コストの低減が図られる。
【０００８　】
【発明の実施の形態】
以下、図面を参照して本発明の実施の形態を説明する。
図１は本発明の支持線付きケーブルの一実施の形態を示す断面図である。また、図２は図１の支持線付きケーブルの固定に係る説明図である。
【０００９　】
図１において、引用符号２１はステイプル２２（図２参照）を用いての固定が可能な支持線付きケーブルを示している。その支持線付きケーブル２１は、ケーブル本体２３と、ケーブル本体２３に対して平行にのびる支持線２４と、これらケーブル本体２３及び支持線２４間に形成されるブリッジ部２５とを備えて構成されている。
【００１０　】
ケーブル本体２３は、導体部２６と、その導体部２６の周囲を覆う絶縁被覆部２７とを有している。導体部２６は、本形態において、銅撚線で構成されている。尚、導体部２６は、銅撚線とその周囲を覆うシースとで構成されてもよいものとする。支持線２４は、ケーブル本体２３に比べて径方向のサイズが十分に小さくなるように形成されている。また、支持線２４は、支持部材２８と、その支持部材２８の周囲を覆う絶縁被覆部２９とを有している。
【００１１　】
ブリッジ部２５は、その両端がそれぞれケーブル本体２３の絶縁被覆部２７と支持線２４の絶縁被覆部２９とに連成されている。すなわち、ブリッジ部２５は、絶縁被覆部２７及び２９と同じ材質で押し出し成形により一括して形成されている。また、ブリッジ部２５は、従来のようなケーブル本体２３と支持線２４との共通中心線Ｌ１上ではなく、取り付け相手としての壁や柱などの被取り付け面３０（図２参照）に対して平行になる、ケーブル本体２３と支持線２４との共通接線Ｌ２に沿って配置形成されている。
【００１２　】
本形態の支持線付きケーブル２１は、導体部２６の径が１９ｍｍ、支持部材２８の径が１．６ｍｍ、ブリッジ部２５、絶縁被覆部２７及び２９の厚みが０．５ｍｍ、ブリッジ部２５の長さ（図中のＤの間隔）が２ｍｍ（例えば２ｍｍ〜２０ｍｍの範囲で設定される）となるように形成されている（一例であるものとする）。
【００１３　】
次に、図２を参照しながら上記構成に基づく支持線付きケーブル２１の固定について説明する。
【００１４　】
支持線付きケーブル２１を被取り付け面３０に対して固定するためには、先ずブリッジ部２５の外面３１（図１参照）を被取り付け面３０に沿わせて密着させるように配置する。続いて、そのままの状態で支持線付きケーブル２１の延在方向に沿って複数のステイプル２２の打ち付けを開始する。この時、ステイプル２２の一方の針部３２がブリッジ部２５の内面３３（図１参照）に、他方の針部３４が被取り付け面３０にそれぞれ打ち付けられるようにする。また、ステイプル２２の保持部３５が支持線２４を押さえ込むようにする。複数のステイプル２２の打ち付けが完了すると、支持線付きケーブル２１の被取り付け面３０に対する固定が完了する。
【００１５　】
以上、図１及び図２を参照しながら説明してきたように、ブリッジ部２５をケーブル本体２３と支持線２４との共通接線Ｌ２に沿って配置形成したことから、従来のようなブリッジ部の浮きをなくすことができる。また、ブリッジ部の浮きをなくすことにより、ステイプルの抜け方向に生じる力をなくすことができる。従って、本発明に係る支持線付きケーブル２１は、施工性を向上させたり、固定状態を安定させたり、ケーブル特性の低下を抑えたりすることができる。また、本発明に係る支持線付きケーブル２１は、ステイプルを用いての固定が可能であることから、コスト低減に寄与することができる。
【００１６　】
その他、本発明は本発明の主旨を変えない範囲で種々変更実施可能なことは勿論である。
【００１７　】
【発明の効果】
以上説明したように、請求項１に記載された本発明によれば、ステイプルを用いての固定を可能にすることから、コスト低減に寄与することができるという効果を奏する。また、取り付け相手の被取り付け面に対するブリッジ部の浮きをなくすことから、ステイプルの打ち付け作業を容易にして施工性を向上させることができるという効果を奏する。さらに、ステイプルの抜け方向に生じる力をなくすことから、固定状態を安定させたりケーブル特性の低下を抑えたりすることができるという効果を奏する。
【図面の簡単な説明】
【図１】本発明による支持線付きケーブルの一実施の形態を示す断面図である。
【図２】本発明による支持線付きケーブルの固定に係る説明図である。
【図３】従来例のケーブル（平型ケーブル）の固定に係る説明図である。
【図４】従来例のケーブル（丸型ケーブル）の固定に係る説明図である。
【図５】従来例の支持線付きケーブルの断面図である。
【図６】従来例の支持線付きケーブルの固定に係る説明図である。
【符号の説明】
２１　支持線付きケーブル
２２　ステイプル
２３　ケーブル本体
２４　支持線
２５　ブリッジ部
２６　導体部
２７　絶縁被覆部
２８　支持部材
２９　絶縁被覆部
３０　被取り付け面
３１　外面
３２　一方の針部
３３　内面
３４　他方の針部
３５　保持部
Ｌ１　共通中心線
Ｌ２　共通接線
【図１】
2004022417.tif 000003
【図２】
2004022417.tif 000004
【図３】
2004022417.tif 000005
【図４】
2004022417.tif 000006
【図５】
2004022417.tif 000007
【図６】
2004022417.tif 000008